(57)【要約】【課題】携帯電話機を活用し、店頭などの比較的狭い範囲内にいる利用者に対し、コスト面での負担をかけることなく、店舗情報や広告などの情報を提供する。【解決手段】赤外線通信やブルートゥースなどの通信方式により、情報を提供する各エリアごとに設けられるラジエータ１１〜１３と、ラジエータ１１，１２に対してマイクロ波によって電力と情報とを送信するメインアンテナ１４と、メインアンテナ１４に接続する中継用の送信機１５と、提供すべき情報を情報のチャネルごとに格納するとともに送信機１５に対して送出する情報格納部１６と、を設ける。利用者の携帯電話機１０に対しては、ラジエータ１１〜１３からマイクロ波によって電力も供給できるようにする。携帯電話機１０は、予め、インターネット２０経由でデータ解析ソフトウェアをダウンロードすることにより、予め指定されたチャネルの情報を表示／出力できるようになる。【選択図】        図１
2004312516.tif 000002
【特許請求の範囲】
【請求項１】
限られた空間内に位置する端末に対して情報を提供する方法であって、
前記端末として携帯電話機が用いられるものとして該携帯電話機にデータ解析プログラムをダウンロードさせ、
前記空間内に、前記携帯電話機が携帯電話通信網に接続する際に用いる無線通信形態とは別の無線通信形態で、前記情報を送出し、
前記データ解析プログラムに前記情報を解析させて前記携帯電話機上に前記情報を表示及び／または出力させる、情報提供方法。
【請求項２】
前記空間内にさらにマイクロ波を送出し、前記携帯電話機内で該マイクロ波を電力に変換し、変換した電力で前記情報の表示及び／または出力に係る電力をまかなわせる、請求項１に記載の情報提供方法。
【請求項３】
複数のチャネルの情報を同時に前記空間内に送出し、前記データ解析プログラムは特定のチャネルの情報のみ解析可能である、請求項１または２に記載の情報提供方法。
【請求項４】
前記データ解析プログラムのダウンロードに際して利用者が入力した個人情報に基づいて、データ解析プログラムが解析可能な前記チャネルが選択される、請求項３に記載の情報提供方法。
【請求項５】
限られた空間内に位置する端末に対して情報を提供するシステムであって、
情報を格納する格納手段と、
前記端末として携帯電話機が用いられるものとして、前記空間内に、前記携帯電話機が携帯電話通信網に接続する際に用いる無線通信形態とは別の無線通信形態で、前記情報を送出する送出手段と、
を有する、情報提供システム。
【請求項６】
さらに、前記携帯電話機に対し、該情報を解析して表示及び／または出力に必要なデータ解析プログラムを前記携帯電話通信網を介してダウンロードさせる手段をさらに有する、請求項５に記載の情報提供システム。
【請求項７】
前記送出手段は、前記空間内に給電用の電力をマイクロ波として送出するマイクロ波送出手段を備え、該マイクロ波から変換された電力によって前記携帯電話機に前記情報の表示及び／または出力に係る電力をまかなわせる、請求項４または５に記載の情報提供システム。
【請求項８】
前記格納手段と前記送出手段との間で、マイクロ波によって、前記情報と電力の伝達が行われる、請求項５乃至７のいずれか１項に記載の情報提供システム。
【請求項９】
少なくともディスプレイを有する携帯電話機として構成された端末であって、
携帯電話通信網を介してダウンロードされるデータ解析ソフトウェアを格納するメモリと、
前記携帯電話機が前記携帯電話通信網に接続する際に用いる無線通信形態とは別の無線通信形態で情報を受信する受信手段と、
前記データ解析ソフトウェアを前記メモリに格納するとともに、前記受信手段で情報を受信したときに前記メモリに格納された前記データ解析ソフトウェアを実行して前記情報を解析し、前記ディスプレイに表示させる制御手段と、
を有する端末。
【発明の詳細な説明】
【０００１】
【発明の属する技術分野】
本発明は、携帯電話機などの端末に対して情報を提供する方法及びシステムと、そのようなシステムで用いられる端末とに関する。
【０００２】
【従来の技術】
近年の携帯電話機の普及はめざましいものがあるとともに、カメラ付き携帯電話機やインターネット接続機能付きの携帯電話機など、各種の機能を有する携帯電話機も発展してきている。また、携帯電話機のディスプレイにおいても、カラー化、多画素数化が進行している。現在では、携帯電話機は、単なる通話用の道具から、総合的な情報端末として使用されるようになってきている。
【０００３】
しかしながら、比較的狭い範囲内にいる利用者に対して何らかの情報を提供するための端末としては、例えば、店頭におけるキャンペーン情報や展示会場における各展示物に関する解説情報などの情報を利用者に対して提示するための端末としては、現状の携帯電話機ではまだ不十分である。すなわち、携帯電話機によって何らかの情報を取得したり、携帯電話機の画面上に何らかの情報を表示させたりする場合には、いわゆるブラウザフォンによってインターネットに接続するかメールを送受信する必要があって通信料が発生するのが一般的であり、この通信量が高額となることによって利用者が利用を躊躇するおそれがある。携帯電話機が接続する通信網（携帯電話通信網あるいは移動体通信網）は、通信事業者（キャリア）が提供する１対１での接続を前提とした交換回線網であり、所定のエリア内にいる複数のユーザに対して同時に同じ情報を提供することに関しては、あまり適したものではない。さらに、携帯電話機のディスプレイ上に情報を表示させる場合、その情報を受信するための回路の動作には電力が必要であり、また、ディスプレイのバックライトも点灯させるからそのバックライトのための電力も必要であり、単なる待ち受け動作時に比べ、携帯電話機における消費電力はかなり大きくなる。このため、携帯電話機の電池（バッテリー）の減りも早くなるという問題点を生じる。
【０００４】
【発明が解決しようとする課題】
普及率の高いことや、携帯に便利な形状や大きさであることから、携帯電話機は、比較的狭い範囲内にいる利用者に対して何らかの情報を提供するための端末として、潜在的な能力を秘めているといえるが、現状では、通信料の発生やバッテリーの減りが早くなるなどの問題を抱えており、このような端末として使用されていない。また、この種の情報を提供するための端末においては、利用者が複雑なキー操作などをすることなく情報を取得できるようにすることが望ましいが、現状では、利用者が意識的にアドレスの入力などを行う必要があり、利用者にとっての利便性が低くなっている。特に、利用者がその関心のある情報を各企業などから引き出そうとする場合には、個別企業ごとに個人情報の登録を行わなければならず、非常に手間のかかる作業を強いることになる。
【０００５】
携帯電話機とその利用者は一般には１対１の関係にあるから、携帯電話機を用いることにより、ターゲットを絞った情報提供あるいは広告配信を行うことが可能である。しかしながら、現状では、通信料を発生させることなくそのようなターゲットを絞った情報提供を行うことはできていない。
【０００６】
そこで本発明の目的は、上述したような課題を解決し、携帯電話機を活用して比較的狭い範囲内にいる利用者に対して情報を提供する情報提供方法及びシステムを提供することにある。また本発明の別の目的は、このような情報提供方法及びシステムにおいて利用者端末として好適に用いられる携帯電話機を提供することにある。
【０００７】
【課題を解決するための手段】
本発明の情報提供方法は、限られた空間内に位置する端末に対して情報を提供する方法であって、端末として携帯電話機が用いられるものとして携帯電話機にデータ解析プログラムをダウンロードさせ、その空間内に、携帯電話機が携帯電話通信網に接続する際に用いる無線通信形態とは別の無線通信形態で、情報を送出し、データ解析プログラムに情報を解析させて携帯電話機上に情報を表示及び／または出力させることを特徴とする。
【０００８】
また本発明の情報提供システムは、限られた空間内に位置する端末に対して情報を提供するシステムであって、情報を格納する格納手段と、端末として携帯電話機が用いられるものとして、その空間内に、携帯電話機が携帯電話通信網に接続する際に用いる無線通信形態とは別の無線通信形態で、情報を送出する送出手段と、を有する。
【０００９】
上述した課題を解決するため、本発明では、比較的狭い範囲内の利用者に対して同内容の情報を提供することを目的としていることから、送出手段（後述する実施の形態におけるラジエータ）から、携帯電話通信網とは異なる無線（ワイヤレス）通信方法によって、携帯電話機に情報を送信するようにする。ここでいう携帯電話通信網は、いわゆる音声通話を行うためだけのものではなく、携帯電話通信事業者（キャリア）が提供するインターネット接続サービスなどに使用される通信網も含んでいる。すなわち本発明では、携帯電話通信事業者による通信ネットワークに依存しない無線通信方法により、送出手段から情報を送信する。これにより、通信料が発生しない無料情報（文字、画像、音声等）を「常に受信できる環境」が提供される。この通信方法としては、同報送信あるいはブロードキャスト型の通信が容易に実現できるものが好ましい。具体的には、赤外線を用いたり、近距離用の無線通信技術（例えば無線ＬＡＮ（ローカルエリアネットワーク）の技術に準拠した通信方式や、ブルートゥースなど）を用いて情報を送信する。
【００１０】
また、このような情報を受信し表示したりする際に必要な電力をまかなうため、利用者端末として使用される携帯電話機に対し、必要に応じてマイクロ波を用いて電力を供給するようにしてもよい。マイクロ波によって電力を供給することによって、利用者としては、情報の提供を受ける際に、携帯電話機のバッテリーの消耗を気にかけなくて済むようになる。
【００１１】
本発明は、上述したように構成することにより、各店舗の店頭や、展示会場での各展示物の前、あるいは鉄道車両やバスの中などの比較的狭い限られた空間に対し、その空間内に所在する利用者に対して効果的に情報を提供することができる。空間が狭いことにより、その空間に即したきめの細かい情報提供が可能となる。この場合、携帯電話通信網とは別の通信方法を採用するため、携帯電話機の本来の通話が阻害されることはなく、また、通信料が発生することもない。また、利用者は、その情報提供のエリア内に立ち入るだけで別段の操作を携帯電話機に対して行うことなく、情報提供を受けることができるようになる。
【００１２】
本発明に基づくシステムでは、利用者端末である携帯電話機において、ラジエータから受信されたデータを解析して、そのデータに含まれる情報を取り出し、ディスプレイ上に表示し、および／または音声としてスピーカあるいはイヤホンから出力するために、受信データを解析するデータ解析ソフトウェアを必要とする。そこで、携帯電話機にはこのデータ解析ソフトウェアを予め組み込んでおくか、あるいは、インターネットなどを介してデータ解析ソフトウェアを携帯電話機にダウンロードするようにする。
【００１３】
さらに本発明では、携帯電話機への情報の送信に際し、複数のチャネルを設定して、チャネルごとに異なる情報が送信されるようにすることが好ましい。チャネルは利用者の嗜好性などに応じてカテゴライズされていることが好ましい。この場合、チャネルごとのデータ解析ソフトウェアを用意してサーバに蓄積しておき、例えば性別や年齢、あるいは趣味といったデータがそのサーバに入力することによって、その利用者の嗜好性にあったデータ解析ソフトウェアをその利用者にダウンロードさせることが好ましい。利用者の嗜好性に適合したチャネルのデータ解析ソフトウェアが携帯電話機にダウンロードされることにより、その利用者に対し、利用者の嗜好性などに基づいたターゲットを絞った情報提供が可能になる。
【００１４】
【発明の実施の形態】
次に、本発明の好ましい実施の形態について、図面を参照して説明する。図１は、本発明の実施の一形態の情報提供システムの全体構成を示すブロック図である。
【００１５】
この情報提供システムは、店頭などの限られた空間において、利用者端末である携帯電話機１０に対して情報（文字情報、静止画像情報、動画像情報、音声情報など）を配信するものであって、利用者に対して情報を提供する各エリアごとに設けられるラジエータ１１〜１３と、ラジエータ１１，１２に対してマイクロ波によって電力と情報とを送信するメインアンテナ１４と、メインアンテナ１４に接続する中継用の送信機１５と、利用者に対して提供されるべき情報を情報のチャネルごとに格納するとともに送信機１５に対して送出する情報格納部１６と、情報格納部１６に対して情報を入力し格納するための情報入力部１７を備えている。情報格納部１６は情報登録サーバとして機能するものである。ここでは、上述したように、利用者の嗜好性などによってカテゴライズされた複数のチャネルが設定されている。
【００１６】
ラジエータ１１〜１３は、いずれも、対応するエリア内に所在する携帯電話機１０に対し、マイクロ波によって電力を供給するとともに、メインアンテナ１４あるいは情報格納部１６から受信した複数のチャネルの情報を常時そのエリア内に送出する。以下の説明から明らかなように、本発明におけるラジエータとは、携帯電話向けに情報と給電用のマイクロ波を放出する機器のことを指す。ラジエータが用いる情報伝達形態としては、例えば、赤外線無線通信、ブルートゥース、無線ＬＡＮ形式などの各種の無線通信形式が挙げられる。
【００１７】
ここでラジエータ１１は、メインアンテナ１４からのマイクロ波によって動作電力を供給されるとともに、そのマイクロ波によってメインアンテナ１４から情報を受信し、その情報を例えばＩｒＤＡ（Ｉｎｆｒａｒｅｄ  Ｄａｔａ  Ａｓｓｏｃｉａｔｉｏｎ）規格に準拠した赤外線無線通信によって、エリア内の携帯電話機に向けて送信する。このようなラジエータ１１は、図２（ａ）に示すように、メインアンテナ１４からのマイクロ波を受信して電力と情報とに分離するマイクロ波受信部３１と、マイクロ波受信部３１からの電力をマイクロ波に再度変換してエリア内に送出するマイクロ波出力部３２と、メインアンテナ１４から受信した情報を赤外線通信の通信規格に合うように変換する変換部３３と、変換部３３の出力に基づいて赤外線を出力する赤外線出力部３４と、を備えている。
【００１８】
ラジエータ１２は、ラジエータ１１と同様に、マイクロ波によって動作電力と情報とをメインアンテナ１４から受信するが、赤外線無線通信ではなく、２．４ＧＨｚ帯の電波を使用するブルートゥースによって、情報をエリア内の携帯電話機に配信する。このようなラジエータ１２は、図２（ｂ）に示すように、メインアンテナ１４からのマイクロ波を受信して電力と情報とに分離するマイクロ波受信部３１と、マイクロ波受信部３１からの電力をマイクロ波に再度変換してエリア内に送出するマイクロ波出力部２２と、メインアンテナ１４から受信した情報をブルートゥースの通信規格に合う無線信号に変換する変換部３５と、変換部３５に接続されたアンテナ３６と、を備えている。
【００１９】
ラジエータ１３は、商用電源（不図示）などから電力を供給されるものであり、ＬＡＮケーブルなどの信号線（有線）によって情報格納部１６に接続し、情報格納部１６から各チャネルの情報が直接入力するようになっている。そしてラジエータ１３は、ラジエータ１１と同様に、赤外線無線通信によって、エリア内の携帯電話機１０に情報を配信する。このようなラジエータ１３は、図２（ｃ）に示すように、マイクロ波をエリア内に送出するマイクロ波出力部３２と、受信した情報を赤外線通信の通信規格に合うように変換する変換部３３と、変換部３３の出力に基づいて赤外線を出力する赤外線出力部３４と、を備えている。
【００２０】
ここでは図示していないが、ラジエータとしては、無線ＬＡＮ規格に基づく無線通信によって情報をエリア内の携帯電話機１０に配信するものも使用できる。また各ラジエータはエリア内の携帯電話機１０に対してマイクロ波によって電力を供給するとしたが、電力を供給する機能を有しないものであってもよい。さらには、メインアンテナ１４からは情報のみを受信し、駆動電力としては商用電源（不図示）などを用いるものであってもよい。
【００２１】
なお、ラジエータから携帯電話機への情報の配信に赤外線通信を用いる場合には、赤外線の指向性により、携帯電話機は、特定の向きに向かないと情報を取得することができない。これは、利用者が意識的に「情報を取得する」ための行動を取らなければならないことを意味し、例えば、展示会場などでの用途では、赤外線通信を用いることによって、利用者が望まないタイミングで情報が表示／出力されることを防ぐことができる。また、赤外線であれば、電波監理上の規制を受けないので比較的自由に使用することができ、指向性が高くて到達距離が短いことからセキュリティ面でも優れている。機器の小型化が可能で、コストの低減も容易である。
【００２２】
携帯電話機１０は、後述するように、ラジエータからデータとして情報を受信したときに、そのデータを解析して情報として表示あるいは出力するために、データ解析ソフトウェアを必要とする。そのデータ解析ソフトウェアは、携帯電話通信網の基地局２１を介し、インターネット２０上のウェブサイト２２からダウンロードされる。データ解析ソフトウェアは複数種類用意されており、それぞれが１あるいは複数のチャネルに対応している。これらのデータ解析ソフトウェアは、ソフトウェア格納部２３に格納されている。さらにウェブサイト２２には、一般的なウェブサーバ２４と、携帯電話機１０を介して利用者が入力したデータに基づいてその利用者に対して送信するデータ解析ソフトウェアを決定するソフトウェア決定部２５とが設けられている。
【００２３】
次に、利用者端末として使用される携帯電話機１０の構成について、説明する。図３（ａ）は、赤外線通信（ＩｒＤＡ）によって情報を受信する携帯電話機の構成を示しており、この携帯電話機は、一般的なブラウザフォンである携帯電話機と同様に、携帯電話通信網に接続するためのアンテナ４１と、アンテナ４１に接続し携帯電話通信網における通信方式にしたがって送受信の処理を行う通信処理部４２と、携帯電話機としての使用時に発話音声が入力するマイクロホン４３と、携帯電話機としての使用中に相手方の音声を出力するスピーカ４４と、電話番号の入力やその他のデータ入力等に使用されるテンキーを含むキーパッド４５と、液晶ディスプレイなどのディスプレイ４６と、動作に必要なプログラムやデータを格納するメモリ４７と、メモリ４７中のプログラムやデータに応じまたキーパッド４５への入力に応じ、通信処理部４２の制御やディスプレイ４６への表示など、この携帯電話機の全体にわたる制御を行う制御部４８と、を備えている。ここには示していないが、通話時や待ち受けに必要な電力を供給するための二次電池も設けられている。スピーカ４４は、制御部４８からの出力に応じても音声を出力するようになっている。制御部４８は、一般に、マイクロプロセッサあるいはＣＰＵ（中央処理ユニット）などによって構成されている。さらに、この携帯電話機は、マイクロ波として供給された電力を携帯電話機内で利用可能な形態（直流電力など）に変換する電力変換部４９と、赤外線通信を受信する赤外線受信部５０と、を備えている。
【００２４】
ここで制御部４８は、特に、携帯電話通信網経由でデータ解析ソフトウェアをダウンロードしてメモリ４７内に格納するとともに、赤外線受信部５０において赤外線信号を受信した場合に、メモリ４７内のデータ解析ソフトウェアにしたがってその赤外線信号を解析し、これによって送信されてきた情報を抽出し、ディスプレイ４６上にその情報を表示したり、スピーカ４４から音声を出力したりする。
【００２５】
同様に図３（ｂ）は、ブルートゥースによって情報を受信する携帯電話機の構成を示しており、図３（ａ）に示したものと比べ、赤外線受信部が設けられていない代わりに、ブルートゥース用のアンテナ５１と、ブルートゥース用の通信処理部５２が設けられている点で相違する。ここには示していないが、無線ＬＡＮの通信方式によって情報を受信する携帯電話機も、図３（ｂ）に示したものとおぼ同様の構成を有する。
【００２６】
上述した情報提供システムは、限られた空間に対して、その空間ごとに情報を提供するものであり、そのような限られた空間が多数設けられる、例えば、百貨店やショッピングセンターなどの複合施設や、映画館、テーマパーク、美術館、博物館、展示会場などに設置される。そして、このシステムにおける情報登録サーバである情報格納部１６は、そうしたショッピングセンターやテーマパークなどの施設ごとに設けられる。もっとも、外部のＡＳＰ（アプリケーションサービスプロバイダ）に情報登録サーバをアウトソーシングするようにしてもよい。その場合は、そのＡＳＰと送信機１５（あるいは情報格納部１６に有線で接続するラジエータ）との間は、接続用の回線で接続されることになる。ラジエータ１１〜１３の設置場所は、例えば、ショッピングセンターの場合であれば各店頭、映画館などであれば入り口付近、美術館などであれば展示された各作品の近傍などである。この情報提供システムでは、情報登録サーバである情報格納部１６から各ラジエータに対して、そのラジエータの設置エリアにふさわしい情報が送信される。具体的には、ショッピングセンターの各店舗の情報、テーマパークなどにおける各アトラクションの待ち時間、映画の上映時間や空席情報、展示作品の解説、各種のニュースや天気予報、路線情報、広告などが情報として送信される。
【００２７】
次に、この情報提供システムの動作を説明する。
【００２８】
利用者は、まず、その所有する携帯電話機に対し、データ解析ソフトウェアをダウンロードする必要がある。その場合、携帯電話機１０のインターネット接続機能を使用し、携帯電話通信網を介してインターネット２０上のウェブサイト（データ解析ソフトダウンロードサイト）２２にアクセスし、個人情報（性別、年齢）や趣味、興味のある分野を入力することにより、個人の嗜好性に合わせたデータ解析プログラム（無線通信解析プログラム）をインターネット２０経由でダウンロードする。この場合、利用者の性別、年代（１０代か、２０代か、…など）、趣味（音楽か、映画か、…など）、関心事（経済か、ファッションか、…）などに応じて、ソフトウェア決定部２５がその利用者に対するデータ解析ソフトウェアを決定し、利用者の携帯電話機に対してその決定したデータ解析ソフトウェアを送出する。
【００２９】
表１は、情報としてｍ個までのチャネルＢ１〜Ｂｍが設定可能であり、これに対して、ｎ種類のデータ解析ソフトウェアＡ１〜Ａｎが用意される場合の、各データ解析ソフトウェアが情報のどのチャネルに対応するかの例を示したものである。表中、◎は、対応していることを示している。
【００３０】
【表１】
2004312516.tif 000003
【００３１】
利用者は、このデータ解析ソフトウェアを携帯電話機１０にダウンロードすることにより、携帯電話機１０上でそのデータ解析ソフトウェアを実行させることで、ラジエータからの情報を通信料なしで受信できる環境を整える。データ解析プログラムでは、設定により、どの通信方式（例えば、赤外線通信、ブルートゥース、無線ＬＡＮ）を用いて受信するかを選択でき、また、音声出力の有無も指定できる。
【００３２】
一方、情報の提供側（例えば、ショッピングセンターの運営企業やテナント）は、情報入力部１７を介して、チャネルごとに発信したい情報を情報格納部１６に登録する。その場合、どのエリア（ラジエータ）内に情報を配信するかも指定する。情報の内容が例えば動画であれば、情報の内容が単なるテキストである場合に比べ、情報を表示する携帯電話機においてその表示処理により多く電力を消費することになる。そこで、情報の内容に応じて、各ラジエータからのマイクロ波の出力を調整できるようにすることが好ましい。
【００３３】
情報格納部１６からは、ラジエータ１１，１２に対し、送信機１５からメインアンテナ１４に介し、マイクロ波の形態で電力と情報が送信される。ラジエータ１１では、マイクロ波受信部３１がマイクロ波を受信して電力と情報とを抽出する。抽出された電力はこのラジエータ１１内で使用されるとともに、マイクロ波出力部３２からエリア内の携帯電話機１０に対してマイクロ波として送出される。抽出された情報は、変換部３３によって赤外線通信の通信規格に合うように変換され、そののち、赤外線出力部３４からエリア内に送出される。同様にラジエータ１２では、マイクロ波受信部３１がマイクロ波を受信して電力と情報とを抽出し、マイクロ波出力部３２は、エリア内の携帯電話機１０に対してマイクロ波として電力を送出する。抽出された情報は、変換部３５によってブルートゥースの通信規格に合うように変換され、アンテナ３６からエリア内に送出される。
【００３４】
ラジエータ１３に対しては、情報格納部１６から信号線を介して情報が送信される。ラジエータ１３では、マイクロ波出力部３２が、エリア内の携帯電話機１０に対してマイクロ波として電力を送出する。また、変換部３３は、送られてきた情報を赤外線通信の通信規格に合うように変換し、変換された情報は、赤外線出力部３４からエリア内に送出される。
【００３５】
本実施形態においては、赤外線通信、ブルートゥースあるいは無線ＬＡＮなどの各種の無線通信方式によってエリア内の携帯電話機１０に対して情報を配信する。これらの各種の無線通信方式のそれぞれに対応した形式で情報を情報格納部１６に格納するのは、サーバ容量の圧迫などにつながるので、ここでは、情報格納部１６から各ラジエータに対して送信される情報の形式は統一しておき、各ラジエータにおいてそこで使用する無線通信方式に合わせて規格の変換を行うようにしている。
【００３６】
各ラジエータ１１〜１３からは、マイクロ波によって電力が送出されるとともに、数チャネル分の情報が赤外線通信やブルートゥースによって、常時送出されている。データ解析ソフトウェアがダウンロードされている携帯電話機１０がラジエータのエリア内に進入すると、自動的に、そのデータ解析ソフトウェアによって、そのデータ解析ソフトウェアに対応したチャネルの情報が、ディスプレイ４６に表示され、また、情報の性質や設定に応じて、スピーカ４４あるいはイヤホン（不図示）から音声情報として出力される。同時に、携帯電話機１０の電力変換部４９は、マイクロ波から電力を抽出して、携帯電話機１０内の各部に供給する。なお、携帯電話機１０に対する電力供給は、情報としての例えば広告の配信を行うことに関連するものであり、したがって、情報を表示／出力することなく電力供給のみを受けることはできないようにしておくことが好ましい。
【００３７】
各ラジエータにおいては、情報と電力とは、さまざまなパターンで配信されているが、利用者の携帯電話機１０では、実際にダウンロードされたデータ解析プログラムのパターンと合致したデータのみしか受信／表示されない。すなわち、携帯電話機１０の赤外線受信部５０またはブルートゥース用の通信処理部５２によって情報が受信されると、制御部４８は、メモリ４７に格納されたデータ解析プログラムを用いてその情報の解析を行おうとするが、データ解析プログラムが対応していないチャネルの情報を受信したときは、解析できないので、ディスプレイ４６上には何も表示されない。
【００３８】
以上説明したように本実施形態の情報提供システムでは、ユビキタスコンピューティングの端末としての可能性を秘めている携帯電話機とそれを利用する人々の生活の変化に伴い、より身近となった携帯電話機の赤外線ポートや今後注目されるであろうブルートゥース、無線ＬＡＮ等を利用し、情報受信端末、広告受信端末として活用する。これにより従来はインターネットを利用した情報収集手段が中心であった携帯電話機が、広告／各種ＰＲの受信媒体へと活躍の場を広げる。
【００３９】
利用者は、（１）一般的な個人情報を登録してデータ解析プログラムをウェブサイト２２からダウンロードし、（２）ダウンロード後は自己の携帯電話機１０内での設定をいくつか行ない、外部からの具体的にはラジエータからの情報を受信する環境を整える。利用者は、この２点の簡単な操作を行なうだけで、通信料を負担することなく、氾濫する情報群の中から「自分が必要としている分類に属する情報の提供」と「それを受信するにあたって消費する分の電力供給」といった多くの利益を得ることが可能となる。また情報を手に入れる場所としては、ラジエータ周辺だけでなく、コンビニエンスストア内に設置されている情報端末も考えられる。
【００４０】
【発明の効果】
以上説明したように本発明は、携帯電話機を活用し、店頭などの比較的狭い範囲内にいる利用者に対し、コスト面での負担をかけることなく、店舗情報や広告などの情報を提供できるようになる、という効果がある。
【００４１】
また、インターネット上のウェブサイト経由で、携帯電話機に対しデータ解析プログラムをダウンロードできるようにしているので、携帯電話通信網を運営する通信事業者によらずに、データ解析プログラムを取得することができる。受信した情報を携帯電話機内でデータ解析プログラムによって解析し、画面上に表示することにより、携帯電話を使ったターゲットコミュニケーション広告の手法が確立する。利用者の嗜好性に応じたチャネルからの情報が入手できるようにしているので、利用者としては、自分に必要な情報のみ入手できるようになる。
【００４２】
さらに、情報の受信と同時にそれを表示するために携帯電話機で必要となる電力については、マイクロ波などを利用して携帯電話機に供給することにより、情報の受信と表示を行ったがために携帯電話機のバッテリーが早く消耗するといった事態は抑制される。なお、この電力の供給は、情報に含まれる広告などの受信の対価としての性質を有するものであるから、電力のみを携帯電話機に供給するようなことは行えないように設定しておくことが望ましい。
【００４３】
利用者がデータ解析プログラムをダウンロードする際に入力した個人情報を用いることにより、利用者は、対象企業ごとに個人情報を再入力しなくて済むようになる。
【図面の簡単な説明】
【図１】本発明の実施の一形態の情報提供システムの全体構成を示すブロック図である。
【図２】（ａ）〜（ｃ）はいずれもラジエータの構成を示すブロック図である。
【図３】（ａ），（ｂ）は、いずれも図１に示す情報提供システムにおいて利用者端末として使用される携帯電話機の構成を示すブロック図である。
【符号の説明】
１０    携帯電話機
１１〜１３    ラジエータ
１４    メインアンテナ
１５    送信機
１６    情報格納部
１７    情報入力部
２０    インターネット
２１    基地局
２２    ウェブサイト
２３    ソフトウェア格納部
２４    ウェブサーバ
２５    ソフトウェア決定部
３１    マイクロ波受信部
３２    マイクロ波出力部
３３，３５    変換部
３４    赤外線出力部
３６，４１，５１    アンテナ
４２，５２    通信処理部
４３    マイクロホン
４４    スピーカ
４５    キーパッド
４６    ディスプレイ
４７    メモリ
４８    制御部
４９    電力変換部
５０    赤外線受信部
【図１】
2004312516.tif 000004
【図２】
2004312516.tif 000005
【図３】
2004312516.tif 000006